(57)【要約】【課題】作業札の設置忘れの継続や取り外し忘れを抑制できるエレベーターを提供すること。【解決手段】エレベーター１０が、各階乗場２２の上側に設けられ、点検札６１の取り付けを検出する磁気スイッチ６０と、カゴ１１内に設けられ、行先階の指定のために用いる行先階指定釦１６と、エレベーター１０に、その作業に関連する作業動作を実行させるための自手切替部４０及び上下灯操作部４２と、自手切替部４０及び上下灯操作部４２の少なくとも一方からの信号に基づいて少なくとも１つの作業動作が実行されていると認識すると、各階の磁気スイッチ６０からの信号に基づいて、各階の点検札６１の取り付けの有無を、行先階指定釦１６においてその階に対応する釦に表示させる制御盤１８と、を備えるようにする。【選択図】図１
2018167929.tif 000002
【特許請求の範囲】
【請求項１】
カゴが昇降路内を上下動するエレベーターにおいて、
各階乗場に設けられ、作業札の取り付けを検出する札検出部と、
カゴ内に設けられ、行先階の指定のために用いる行先階指定釦と、
前記エレベーターについての作業動作を行うことを示す信号を出力する１以上の操作部と、
少なくとも１つの前記操作部からの信号に基づいて少なくとも１つの前記作業動作が実行されると認識すると、各階の前記札検出部からの信号に基づいて、各階の前記作業札の取り付けの有無を、前記行先階指定釦においてその階に対応する釦に表示させる制御部と、
を備える、エレベーター。
【請求項２】
請求項１に記載のエレベーターにおいて、
前記１以上の操作部には、前記カゴが自動で昇降する通常モードと前記カゴが手動操作に応じて昇降する手動モードとを切り替える自手切替部と、
前記カゴの上下に設置され昇降路内を明るくする上下灯の点灯と消灯とを切り替える上下灯操作部と、の少なくとも１つが含まれる、エレベーター。
【請求項３】
請求項１又は２に記載のエレベーターにおいて、
前記札検出部が、磁気スイッチであり、
前記磁気スイッチが前記作業札に内蔵された作業札取付用の磁石の磁力によってオンすると、前記作業札を検出したことを表す信号が前記制御部に出力される、エレベーター。
【請求項４】
請求項１乃至３のいずれか１つに記載のエレベーターにおいて、
前記カゴ内に配置された音出力装置を備え、
前記制御部が、少なくとも１つの前記作業動作が実行されると認識してから所定時間経過後においても前記作業札が取り付けられていない階が存在すると認識すると、前記音出力装置に音を出力させる、エレベーター。
【請求項５】
請求項１乃至４のいずれか１つに記載のエレベーターにおいて、
前記少なくとも１つの作業動作の実行が認識されているとき、前記行先階指定釦において前記作業札が取り付けられた階に対応する釦が、前記カゴが自動で昇降する通常運行時に点灯する第１色と異なる第２色に点灯し、前記行先階指定釦において前記作業札が取り付けられていない階に対応する釦が、前記第１色及び前記第２色と異なる第３色に点灯する、エレベーター。
【請求項６】
請求項１乃至５のいずれか１つに記載のエレベーターにおいて、
前記カゴ内に配置された音出力装置を備え、
前記制御部が、前記作業動作の実行を認識していないときに前記作業札が取り付けられた階が存在すると認識すると、前記音出力装置に音を出力させる、エレベーター。
【発明の詳細な説明】
【技術分野】
【０００１】
本発明は、エレベーターに関する。
【背景技術】
【０００２】
特許文献１に記載されているように、エレベーターが点検中であることを乗場上側に設置した点検札で報知することがある。
【先行技術文献】
【特許文献】
【０００３】
【特許文献１】特開２０１２−９６９１８号公報
【発明の概要】
【発明が解決しようとする課題】
【０００４】
エレベーターの階数が多い場合、特定階で点検札の設置忘れや取り外し忘れが生じることがあるが、特定階で点検札の設置忘れが起こると、当該階においてエレベーターが運転中であると勘違いされて、人に迷惑がかかり、点検作業に支障をきたす。
【０００５】
他方、特定階で点検札の取り外し忘れが生じると、点検が終了しているにも拘わらず当該階においてエレベーターが点検中であると勘違いされて、エレベーターを使用できなくて、人に多大な迷惑がかかる。
【０００６】
そこで、本発明の目的は、作業札の設置忘れの継続や取り外し忘れを抑制できるエレベーターを提供することにある。
【課題を解決するための手段】
【０００７】
本発明に係るエレベーターは、カゴが昇降路内を上下動するエレベーターにおいて、各階乗場に設けられ、作業札の取り付けを検出する札検出部と、カゴ内に設けられ、行先階の指定のために用いる行先階指定釦と、前記エレベーターについての作業動作を行うことを示す信号を出力する１以上の操作部と、少なくとも１つの前記操作部からの信号に基づいて少なくとも１つの前記作業動作が実行されると認識すると、各階の前記札検出部からの信号に基づいて、各階の前記作業札の取り付けの有無を、前記行先階指定釦においてその階に対応する釦に表示させる制御部と、を備える。
【０００８】
上記作業札は、エレベーターに関する作業、例えば、エレベーターの部品の取り換えや、エレベーターの点検が実行されていることを報知するための札であり、点検札は、作業札の一例である。
【０００９】
本発明によれば、少なくとも１つの作業動作が実行されると、行先階指定釦の各階に対応する釦が、対応する階の作業札の取り付けの有無を表示する。したがって、作業動作が実行されると、保守作業員等が各階における作業札の取り付けの有無を認識でき、取り付け忘れ階での作業札の取り付けを迅速に実行できる。よって、特定階で作業札の設置忘れ状態が継続することを抑制できる。また、保守作業員等が作業札の取り外し作業を行った後にエレベーターを通常運転に復帰させる前に行先階指定釦を確認することで、特定階での作業札の取り外し忘れを認識できる。その結果、作業札の取り外し忘れを抑制できる。
【００１０】
また、エレベーターに必須の行先階指定釦が各階に対応する釦を有することに着目し、当該対応する釦に対応階の作業札の取り付けの有無を表示させる。よって、各階における作業札の設置状況を表示する新たな装置を導入する必要が一切なく、作業札の設置忘れの継続や取り外し忘れを簡単安価に抑制できる。
【００１１】
また、本発明において、前記１以上の操作部には、前記カゴが自動で昇降する通常モードと前記カゴが手動操作に応じて昇降する手動モードとを切り替える自手切替部と、前記カゴの上下に設置され昇降路内を明るくする上下灯の点灯と消灯とを切り替える上下灯操作部と、の少なくとも１つが含まれてもよい。
【００１２】
エレベーターが手動モードである場合、エレベーターは、通常運行できず、乗客等の輸送を行うことができない。他方、エレベーターが通常モードに切り替えられていれば、昇降路を照らす上下灯が点灯している状態であっても、エレベーターは、通常運行できて、乗客等の輸送を行うことができる。その結果、通常モードと手動モードとの切り替えを行う自手切替部が、上下灯の点灯と消灯とを切り替える上下灯操作部と別である場合、作業終了後に、エレベーターの通常モードへの切替忘れが殆ど起きないのに対し、上下灯の消し忘れがよく起きる。
【００１３】
上記構成において、１以上の操作部に上下灯操作部が含まれる場合、上下灯が点灯していれば、行先階指定釦の各階に対応する釦が、対応する階の作業札の取り付けの有無を表示したままとなる。したがって、保守作業員等が、目に付き易い行先階指定釦を視認することで、上下灯の消し忘れに気付き易く、当該消し忘れを抑制できる。
【００１４】
また、本発明において、前記札検出部が、磁気スイッチであり、前記磁気スイッチが前記作業札に内蔵された作業札取付用の磁石の磁力によってオンすると、前記作業札を検出したことを表す信号が前記制御部に出力されてもよい。
【００１５】
上記構成によれば、作業札を磁石で乗場上側に取り付けるだけで各階での作業札の取り付け情報を制御部に伝達でき、当該情報を制御部へ簡易な構成で伝達できる。
【００１６】
また、本発明において、前記カゴ内に配置された音出力装置を備え、前記制御部が、少なくとも１つの前記作業動作が実行されると認識してから所定時間経過後においても前記作業札が取り付けられていない階が存在すると認識すると、前記音出力装置に音を出力させてもよい。
【００１７】
上記音出力装置は、ブザーで構成されてもよく、音声出力装置で構成されてもよい。
【００１８】
上記構成によれば、作業札の設置忘れの継続を略防止することができる。
【００１９】
また、本発明において、前記少なくとも１つの作業動作の実行が認識されているとき、前記行先階指定釦において前記作業札が取り付けられた階に対応する釦が、前記カゴが自動で昇降する通常運行時に点灯する第１色と異なる第２色に点灯し、前記行先階指定釦において前記作業札が取り付けられていない階に対応する釦が、前記第１色及び前記第２色と異なる第３色に点灯してもよい。
【００２０】
上記構成によれば、作業が実行中であること、作業札が取り付けられている階、及び作業札が取り付けられていない階を、容易に判断できる。
【００２１】
また、本発明において、前記カゴ内に配置された音出力装置を備え、前記制御部が、前記作業動作の実行を認識していないときに前記作業札が取り付けられた階が存在すると認識すると、前記音出力装置に音を出力させてもよい。
【００２２】
上記構成によれば、作業札の取り外し忘れを略防止できる。
【発明の効果】
【００２３】
本発明に係るエレベーターによれば、作業札の設置忘れの継続や取り外し忘れを抑制できる。
【図面の簡単な説明】
【００２４】
【図１】本発明の一実施形態に係るエレベーターの概略構成図である。
【図２】乗場の様子を示す図である。
【図３】磁気スイッチの構造及び動作原理を説明するための図である。
【図４】点検札の設置忘れの継続や取り外し忘れの抑制のために制御盤が行う処理手続の一例を示すフローチャートである。
【発明を実施するための形態】
【００２５】
以下に、本発明に係る実施の形態について添付図面を参照しながら詳細に説明する。以下において複数の実施形態や変形例などが含まれる場合、それらの特徴部分を適宜に組み合わせて新たな実施形態を構築することは当初から想定されている。
【００２６】
図１は、本発明の一実施形態に係るエレベーター１０の概略構成図である。図１に示すように、エレベーター１０は、カゴ１１、巻上機１２、釣合錘１３、ワイヤーロープ１４、カゴ呼び釦１５、行先階指定釦１６、着床検出センサ１７、及び制御部としての制御盤１８を備える。本実施例では、制御盤１８及び巻上機１２が、昇降路１９上方にある機械室３０内に設けられるが、エレベーターが機械室を有さない場合、制御盤及び巻上機は、昇降路下方にあるピット上に設けられてもよい。ワイヤーロープ１４は、巻上機１２に巻回され、一端部がカゴ１１の上部に固定されるのに対して、他端部が釣合錘１３に固定される。カゴ呼び釦１５は、カゴ１１を呼ぶと共にカゴ１１の移動方向を指定するために乗場２２に設けられる。また、行先階指定釦１６は、カゴ１１の行先階を指定するためにカゴ１１内に設けられる。カゴ呼び釦１５及び行先階指定釦１６からの信号を受けた制御盤１８が巻上機１２のモータ１２ａの回転数及び回転方向を制御することによって、カゴ１１が昇降路１９内を昇降する。
【００２７】
着床検出センサ１７は、昇降路１９内に設けられ、カゴ１１が乗場２２に着床したことを検出する。着床検出センサ１７は、例えば、各階の着床位置に対応する昇降路位置に設けられた鉄板等のベーン１７ａと、ベーン１７ａを検出する磁気方式の検出器１７ｂで構成される。着床検出センサ１７からカゴ１１がいずれかの階の乗場２２に着床したことを表す信号を受けた制御盤１８が乗場扉用モータ及びカゴ扉用モータ（図示せず）を制御することによって、乗場扉３１及びカゴ扉３２が開き、人がカゴ１１から乗り降り可能となる。
【００２８】
エレベーター１０は、更に、自手切替部４０、上下灯４１、上下灯操作部４２、音出力装置４５、及び札検出部の一例としての磁気スイッチ６０を備える。自手切替部４０及び上下灯操作部４２の夫々は、制御ケーブルを介して制御盤１８に電気的に接続される。自手切替部４０、及び上下灯操作部４２は、エレベーター１０に、エレベーター１０の作業に関連する作業動作を実行させるための１以上の操作部に含まれる。
【００２９】
自手切替部４０は、例えば切替スイッチで構成され、制御盤１８と一体に設けられる。なお、自手切替部は、制御盤に設けられる替わり、又は制御盤の設置に加えて、乗場やカゴにおいて乗客が通常接触できない場所に設けられてもよい。例えば、自手切替部は、鍵で開閉する扉の裏側等に設けられてもよい。又は、行先階指定釦１６が、鉛直方向Ｚにスライド可能なスライドカバーに設置されている場合、スライドカバーを、鉛直方向Ｚにスライドさせると、エレベーターの通常運行時にスライドカバーの裏側に配置された自手切替部が外部に露出する構成でもよい。
【００３０】
保守作業員等は、自手切替部４０を用いて制御盤１８に信号を入力でき、通常モードと、手動モードとを切り替え可能になっている。ここで、通常モードが選択されると、制御盤１８がカゴ呼び釦１５及び行先階指定釦１６の操作に基づいて巻上機１２等を制御することによって、カゴ１１の通常運行が自動で行われる。他方、手動モードが選択されると、カゴ呼び釦１５及び行先階指定釦１６でのカゴ昇降操作が無効になり、カゴ１１の昇降が手動操作に応じて行われる。
【００３１】
上下灯操作部４２は、例えば、切替スイッチで構成され、カゴ１１において乗客が通常接触できない場所、例えば鍵で開閉する扉の裏側や、通常運行時における上記スライドカバーの裏側等に設けられる。上下灯４１は、カゴ１１の天井の昇降路１９側に設置された上部灯４１ａと、カゴ１１の底の昇降路１９側に設置された下部灯４１ｂとで構成され、カゴ１１の上方および下方の昇降路１９内に明るくする。上下灯操作部４２で上下灯４１の点灯又は消灯を選択すると、上下灯４１の点灯又は消灯を表す信号が制御盤１８に出力される。昇降路１９内には、カゴ１１、釣合錘１３、ワイヤーロープ１４、カゴ１１や釣合錘１３をガイドするレール（図示せず）、カゴ１１と制御盤１８をつなぐ制御ケーブル、カゴ１１の位置を検出する着床検出センサ１７等が設置されている。上下灯４１は、それらの機器のメンテナンス等の際に昇降路１９内を照らすために設けられる。上下灯４１は、カゴ１１の周辺を照らすのに適した照度の照明器具、例えば、蛍光灯、白熱灯、ＬＥＤ等を用いて構成される。
【００３２】
音出力装置４５は、カゴ１１内に設けられる。音出力装置４５は、ブザーで構成される。ブザーは、制御ケーブルを介して制御盤１８に接続され、制御盤１８によって駆動又は非駆動が制御される。カゴ１１は、通常、運送可能な最大積載荷重が決められ、カゴ１１に総量でその最大積載荷重を超える人や物が乗り移ったときに運行が不可能であることを示すブザーが鳴る。音出力装置４５は、その運行不可能を示すブザーでもよく、該運行不可能を示すブザーとは別のブザーでもよい。なお、音出力装置は、音声出力装置で構成されてもよく、制御盤による制御によって合成音を生成する音声生成部と、音声生成部に電気的に接続されたスピーカとを有してもよい。そして、スピーカは、カゴ内において非常時等に管制センタと通話するのに用いられるスピーカで構成されてもよく、当該スピーカとは別のスピーカで構成されてもよい。
【００３３】
磁気スイッチ６０は、各階乗場の上側に設けられ、作業札の一例としての点検札６１の取り付けを検出する。より詳しくは、各階の磁気スイッチ６０は、対応する階の乗場上側に点検札６１が取り付けられているか否かを表す信号を制御盤１８に出力する。磁気スイッチ６０による作業札の取り付けの検出機構については、次に、図２及び図３を用いて説明する。
【００３４】
図２は、乗場２２の様子を示す図であり、図３は、磁気スイッチ６０の構造及び動作原理を説明するための図である。図２を参照して、磁気スイッチ６０は、各階乗場２２の上側、例えば三方枠６５の上側の壁部内に、外部に露出しない状態で配設される。磁気スイッチ６０は、有線の制御ケーブル６７を介して点検札６１を検出したことを表す信号を制御盤１８に出力する。
【００３５】
点検札６１は、上側に永久磁石（以下、単に磁石という）６８を有する。点検札６１は、各階乗場２２の上側、例えば三方枠６５の上面６４に磁石６８によって取り付けられる。なお、乗場２２における点検札６１の取り付け箇所がステンレス等の磁石が吸着しない素材で構成される場合、例えば、両面テープを使用して当該箇所に鉄等の強磁性体からなるプレート等を設置し、そのプレートに点検札６１の磁石６８を吸着させる。また、各階乗場２２における点検札６１の所定の設置位置に、その位置を特定可能な特定手段、例えば、マークや深さが１ｍｍ程度の浅い凹部等を設けると、点検札６１を所定位置に正確に設置できて好ましい。
【００３６】
点検札６１には、取付後に乗場２２に向いた面（カゴ１１側とは反対側を向く面）に点検中であることを表す文言、例えば「点検中」といった文言が記される。なお、本実施例では、エレベーター１０が点検中であって、作業札が点検札６１である場合について説明する。しかし、エレベーターは、例えば、部品の交換作業中や修理中であってもよく、作業札には、点検中以外の作業を表す文言、例えば部品交換作業中といった文言が記されてもよい。
【００３７】
図３に示すように、磁気スイッチ６０は、リードスイッチで構成され、２本の強磁性体リード７１,７２を含む。２本の強磁性体リード７１,７２は、ある接点間隔を持って相対し、ガラス管７３の中に封入される。ガラス管７３の中には接点の活性化を防ぐために窒素ガスが封入される。点検札６１を乗場上側の所定位置に取り付けて、点検札６１の磁石６８によって、強磁性体リード７１,７２の軸方向に外部から磁場を与えると、強磁性体リード７１,７２が磁化され、相対した自由端７５,７６が互いに吸引し合って接触する。係る接触により、回路が閉ざされ、点検札検出信号が、磁気スイッチ６０から制御盤１８に出力される。一方、点検札６１を取り外して、点検札６１の磁石６８の磁場が磁気スイッチ６０に及ばないようにすると、相対した自由端７５,７６が強磁性体リード７１,７２の弾性で離れる。その結果、回路が開かれ、制御盤１８が、点検札６１の取り外しを認識する。
【００３８】
次に、点検札６１の設置忘れの継続や取り外し忘れを抑制できる制御について説明する。図４は、点検札６１の設置忘れの継続や取り外し忘れ抑制のために制御盤１８が行う処理手続の一例を示すフローチャートである。
【００３９】
保守作業員が、自手切替部４０の手動モードへの切り換えと、上下灯操作部４２の上下灯点灯モードへの切り替えの少なくとも一方を実行し、エレベーター１０が、エレベーター作業に関連する作業動作を行うと、制御がスタートする。制御がスタートすると、ステップＳ１で、制御盤１８が、各階に設けられた磁気スイッチ６０から信号を受け、各階における点検札６１の取り付けの有無を、行先階指定釦１６においてその階に対応する釦に表示させる。
【００４０】
詳しくは、制御盤１８が、行先階指定釦１６において点検札６１が取り付けられた階に対応する釦を、カゴ１１が自動で昇降する通常運行時に点灯する第１色と異なる第２色に点灯させる。また、制御盤１８が、行先階指定釦１６において点検札６１が取り付けられていない階に対応する釦を、上記第１色及び上記第２色と異なる第３色に点灯させる。第１色が、電灯色である場合第２色としては、青色を好適に採用できる。また、第３色としては、注意喚起できる赤色を好適に採用できる。
【００４１】
なお、行先階指定釦において点検札が取り付けられていない階に対応する釦だけ点灯させるか又は点灯させない等の動作を行ってもよい。要は、保守作業員等が、各階における点検札の取り付けの有無を、行先階指定釦においてその階に対応する釦で判断できれば、当該対応する釦を如何なる方法で点灯又は消灯させてもよい。
【００４２】
ステップＳ１の後のステップＳ２では、制御盤１８が、行先階指定釦１６を用いた各階の点検札６１の取り付け表示から所定時間が経過したか否かを判定する。この判定は、例えば、制御盤１８が、それに内蔵されたタイマによって実行する。ステップＳ２で否定判定されると、ステップＳ２が繰り返される。他方、ステップＳ２で肯定判定されると、ステップＳ３で、制御盤１８が、点検札６１が設置されていない階が存在するか否かを判定する。
【００４３】
ステップＳ３で肯定判定されると、ステップＳ４に移行する。ステップＳ４では、制御盤１８が、音出力装置４５にブザー音を出力させ、その後、ステップＳ３以下が繰り返される。
【００４４】
他方、ステップＳ３で否定判定されると、ステップＳ５に移行して、制御盤１８が、エレベーター１０が作業動作をおこなっているか否かを判定する。ステップＳ５で肯定判定されると、ステップＳ５が繰り返される。他方、ステップＳ５で否定判定されて、制御盤１８が、エレベーター１０が一切作業動作をおこなっていないと判定すると、ステップＳ６に移行して、制御盤１８が、点検札６１が設置されたままになっている階が存在するか否かを判定する。
【００４５】
ステップＳ６で肯定判定されて、点検札６１が設置されたままになっている階が存在すると、ステップＳ７に移行して、制御盤１８が、音出力装置４５にブザー音を出力させ、その後、ステップＳ６以下が繰り返される。他方、ステップＳ６で否定判定されて、制御盤１８が、点検札６１が設置されたままになっている階が存在しないと判断すると、制御が終了する。
【００４６】
上記実施形態によれば、エレベーター１０が少なくとも１つの作業動作を実行すると、行先階指定釦１６の各階に対応する釦が、対応する階の点検札６１の取り付けの有無を表示する。したがって、作業動作が実行されると、保守作業員等が各階における点検札６１の取り付けを認識でき、取り付け忘れ階での点検札６１の取り付けを迅速に実行できる。よって、特定階で点検札６１の設置忘れ状態が継続することを抑制できる。また、例えば、保守作業員等が点検札６１の取り外し作業を行った後でエレベーター１０を通常運転に復帰させる前に行先階指定釦１６を確認することで、特定階での点検札６１の取り外し忘れを認識できる。その結果、点検札６１の取り外し忘れを抑制できる。
【００４７】
また、エレベーター１０に必須の行先階指定釦１６が各階に対応する釦を有することに着目し、当該対応する釦に対応階の点検札６１の取り付け状況を表示させる。よって、各階の点検札６１の設置状況を表示する新たな装置を導入する必要が一切なく、簡単安価に点検札６１の設置忘れの継続や取り外し忘れを抑制できる。
【００４８】
また、各階の前記作業札の取り付けの有無を、行先階指定釦においてその階に対応する釦に表示させない従来のエレベーターは、次の問題を有する。すなわち、エレベーターが手動モードである場合、エレベーターは、通常運行できず、乗客等の輸送を行うことができない。他方、エレベーターが通常モードに切り替えられていれば、昇降路を照らす上下灯が点灯している状態であっても、エレベーターは、通常運行できて、乗客等の輸送を行うことができる。その結果、通常モードと手動モードとの切り替えを行う自手切替部が、上下灯の点灯と消灯とを切り替える上下灯操作部と別である場合、作業終了後に、エレベーターの通常モードへの切替忘れが殆ど起きないのに対し、上下灯の消し忘れがよく起きる。
【００４９】
これに対し、上記実施形態によれば、上下灯４１が点灯していれば、行先階指定釦１６の各階に対応する釦が、対応する階の点検札６１の取り付けの有無を表示したままとなる。したがって、保守作業員等が、目に付き易い行先階指定釦１６を視認することで、上下灯４１の消し忘れに気付き易く、当該消し忘れを抑制できる。
【００５０】
また、札検出部が、磁気スイッチ６０であり、磁気スイッチ６０が点検札６１に内蔵された磁石６８の磁力によってオンすると、点検札６１を検出したことを表す信号が前記制御部に出力される。したがって、点検札６１を磁石６８で乗場上側に取り付けるだけで各階の点検札６１の取り付け情報を制御盤１８に伝達でき、当該情報を制御盤１８へ簡易な構成で伝達できる。
【００５１】
また、少なくとも１つの作業動作が実行されてから所定時間経過後においても点検札６１が設置されていない階が存在すると、音出力装置４５が音を出力する。よって、点検札６１の設置忘れの継続を略防止することができる。
【００５２】
また、少なくとも１つの作業動作が実行されているとき、行先階指定釦１６において点検札６１が取り付けられた階に対応する釦が、カゴ１１が自動で昇降する通常運行時に点灯する第１色と異なる第２色に点灯し、行先階指定釦１６において点検札６１が取り付けられていない階に対応する釦が、第１色及び第２色と異なる第３色に点灯する。したがって、作業が実行中であること、作業札が取り付けられている階、及び作業札が取り付けられていない階を容易に判断できる。
【００５３】
更には、作業動作が行われていないときに、点検札６１が取り付けられた階が存在すると、音出力装置４５が音を出力する。したがって、点検札６１の取り外し忘れを略防止できる。
【００５４】
なお、本発明は、上記実施形態およびその変形例に限定されるものではなく、本願の特許請求の範囲に記載された事項およびその均等な範囲において種々の改良や変更が可能である。
【００５５】
例えば、上記実施形態では行先階指定釦１６による点検札６１の設置状況表示が開始されてから所定時間経過後に点検札６１が設置されていない階が存在したり、エレベーター１０が作業動作をしていない状態で、点検札６１が設置されている階が存在すると、音出力装置４５としてのブザーが音を出力する場合について説明した。しかし、音出力装置として、音声出力装置を採用してもよい。そして、行先階指定釦による作業札の設置状況表示を開始してから所定時間経過後に作業札が設置されていない階が存在すると、音声出力装置が、作業札が設置されていない階が存在することを表す文言、例えば、「作業札が設置されていない階が存在します」といった文言や、「○○階で作業札が設置されていません」といった文言を出力してもよい。また、エレベーターが作業動作をしていない状態で、作業札が設置されている階が存在すると、音声出力装置が、作業札が設置されている階が存在することを意味する文言、例えば、「作業札が設置されている階が存在します」といった文言や、「○○階で作業札が設置された状態のままになっています」といった文言を出力してもよい。又は、作業札の設置状況に関する音の出力を行う音出力装置が、エレベーターに存在しなくてもよい。なお、行先階指定釦による作業札の設置状況表示を開始してから所定時間経過後に作業札が設置されていない階が存在することと、エレベーターが作業動作をしていない状態で、作業札が設置されている階が存在することの少なくとも一方を、ブザー音で報知する場合、エレベーターがブザー音の出力を解除する操作部を有してもよい。
【００５６】
また、行先階指定釦１６による点検札６１の設置状況表示を開始してから所定時間経過後に点検札６１が設置されていない階が存在することや、エレベーター１０が作業動作をしていない状態で、点検札６１が設置されている階が存在することを、音出力装置４５を用いて報知する場合について説明した。しかし、行先階指定釦による作業札の設置状況表示を開始してから所定時間経過後に作業札が設置されていない階が存在することを、当該階の作業札が設置されるまで、音の出力の替わり又は音の出力に加えて、当該階に対応する釦を点滅させることによって報知してもよい。また、エレベーターが作業動作をしていない状態で、作業札が設置されている階が存在することを、当該階の作業札が取り外されるまで、音の出力の替わり又は音の出力に加えて、当該階に対応する釦を点滅させることによって報知してもよい。
【００５７】
また、エレベーターが、エレベーター作業に関連する作業動作（作業動作にはエレベーターの停止も含まれる）を実行しているときで、かつ行先階指定釦が使用可能である場合には、行先階指定釦のいずれかの階に対応する釦が押圧されると、カゴがその階に着床するまで、当該対応する釦が、通常運転時と異なる色の点灯をするようにしてもよい。このようにして、保守作業員等が、作業中であることを明確に認識できるようにしてもよい。なお、当該対応する釦が、通常運転時と同じ色の点灯をしてもよいことは言うまでもない。
【００５８】
また、磁気スイッチ６０を用いて点検札６１の検出を行う場合について説明した。しかし、ブルートゥース（登録商標）や赤外線通信を利用して、近距離通信による作業札の検出を行ってもよい。詳しくは、札検出部は、各階に設置され、検出信号としての電波や赤外線を受ける受信ポートであってもよい。この場合、例えば、作業札の磁石部が取り付けられていない状態で、磁石の取付面から棒状のスイッチ部が突出するようにし、磁石が取り付けられて、棒状のスイッチ部が下がると、スイッチがオンになって、作業札の取り付けを表す信号が作業札から上記受信ポートに出力される構成でもよい。又は、光学センサで作業札の取り付けを検出する構成でもよく。例えば、札検出部に設けられた受光素子で作業札から出射された光を検出することで、作業札の検出を行ってもよい。札検出部として、磁気検出型の如何なる近接センサを用いてもよく、光学式の如何なる近接センサを用いてもよく、それ以外の如何なる近接センサを用いてもよい。
【００５９】
また、エレベーターに、エレベーターの作業に関連する作業動作を実行させるための１以上の操作部に、ピットに設置された照明器具の点灯又は消灯を操作する操作部、機械室に設置された照明器具の点灯又は消灯を操作する操作部、及びエレベーターの運転又は停止を切り替えるための操作部（ラン・ストップ操作部）のうちの１以上の操作部が含まれてもよい。
【符号の説明】
【００６０】
１０  エレベーター、  １１  カゴ、  １６  行先階指定釦、  １８  制御盤、  １９  昇降路、  ２２  乗場、  ４０  自手切替部、  ４１  上下灯、  ４２  上下灯操作部、  ４５  音出力装置、  ６０  磁気スイッチ、  ６１  点検札、  ６８  磁石。
【図１】
2018167929.tif 000003
【図２】
2018167929.tif 000004
【図３】
2018167929.tif 000005
【図４】
2018167929.tif 000006